(57)【特許請求の範囲】
【請求項１】
上面に電子部品を搭載するための搭載部を、下面に前記電子部品を外部に電気的に接続するための複数の外部接続用メタライズパッドを有する厚みが０．０５〜０．１ｍｍで一辺の長さが０．５〜５０ｍｍの略四角平板状の第一セラミック層と、前記搭載部に搭載され、その主面に複数の電極を有する厚みが０．１〜０．２ｍｍの電子部品と、前記第一セラミック層と実質的に同じ外形寸法で前記第一セラミック層上に前記電子部品を取り囲むように積層された厚みが０．１〜０．２ｍｍで幅が０．２〜２０ｍｍの枠状の第二セラミック層と、前記第一セラミック層または前記第二セラミック層の上面から前記第一セラミック層の下面にかけて導出し、前記電子部品の電極および前記外部接続用メタライズパッドに電気的に接続された複数のメタライズ配線導体と、前記第一セラミック層および前記第二セラミック層および前記電子部品上に、前記第一セラミック層および前記第二セラミック層と実質的に同じ外形寸法で前記電子部品を封止するように略平坦な上面を有して固着され、前記電子部品の上面からの厚みが０．１〜０．２ｍｍの封止樹脂層とから成ることを特徴とする電子装置。
【請求項２】
前記封止樹脂層は、そのヤング率が１〜８ＧＰａであり、かつ前記第一セラミック層および前記第二セラミック層に対する密着強度が５ＭＰａ以上であることを特徴とする請求項１記載の電子装置。
【発明の詳細な説明】
【０００１】
【発明の属する技術分野】
本発明は、メタライズ配線導体を有するセラミック層上に電子部品を搭載するとともに、これらのセラミック層および電子部品上に電子部品を封止する封止樹脂層を固着して成る電子装置に関するものである。
【０００２】
【従来の技術】
従来、コンピュータ等の電子機器に使用される樹脂封止型の電子装置として、例えば図５に断面図で示すように、その上面中央部に電子部品24を搭載するための搭載部21ａを、その下面にタングステン粉末メタライズ等の金属粉末メタライズから成る外部接続用メタライズパッド22を有するとともに、その上面から下面にかけて同じくタングステン粉末メタライズ等の金属粉末メタライズから成り、外部接続用メタライズパッド22に電気的に接続された複数のメタライズ配線導体23を配設して成る酸化アルミニウム質焼結体等のセラミックス材料から成る略四角平板状のセラミック基体21の搭載部21ａに電子部品24を搭載するとともにこの電子部品24の各電極をボンディングワイヤ25を介してメタライズ配線導体23に電気的に接続し、しかる後、セラミック基体21および電子部品24上に電子部品24およびボンディングワイヤ25を覆うようにしてエポキシ樹脂等の熱硬化性樹脂から成る封止樹脂層26を固着させることにより電子部品24を気密に封止して成る電子装置が知られている。
【０００３】
この電子装置は、外部接続用メタライズパッド22を図示しない外部電気回路基板の接続用導体に半田等の導電性接合材を介して接合させることにより外部電気回路基板上に実装され、同時に搭載される電子部品の各電極が外部電気回路に電気的に接続されるようになっている。
【０００４】
【発明が解決しようとする課題】
この従来の電子装置は、セラミック基体21を形成する酸化アルミニウム質焼結体等のセラミックス材料の熱膨張係数が約４〜10×10-6／℃であるのに対し、電子部品24を気密に封止する封止樹脂層26を形成するエポキシ樹脂等の熱硬化性樹脂の熱膨張係数が30〜50×10-6／℃であり、セラミック基体21と封止樹脂層26との熱膨張係数が大きく相違する。そして、この電子装置を半田等の導電性接合材を介して外部電気回路基板に実装すると、実装の際に印加される高温から常温に冷却される過程でセラミック基体21と封止樹脂層26との熱膨張係数の差に起因して発生する応力によりセラミック基体21の外周部が封止樹脂層26側に反ろうとし、その結果、セラミック基体21の下面外周部に位置する外部接続用メタライズパッド22と外部電気回路基板の接続用導体とを接続している導電性接合材に大きな引っ張り応力が印加されてしまう。この導電性接合材に印加されている引っ張り応力は、電子部品24が作動すること等により電子装置が加熱されると緩和されて小さいものとなり、電子部品24が作動を停止する等して電子装置が冷却されると再び大きなものとなる。そして、この電子装置によれば、電子装置を外部電気回路基板に実装した後、電子部品24の作動や停止等による加熱および冷却が繰り返し行なわれると、これに伴って電子装置の外部接続用メタライズパッド22と外部電気回路基板の接続用導体とを接続している導電性接合材に大きな引っ張り応力が繰り返し印加されることとなり、その結果、ついには導電性接合材が疲労破壊を起こして破断してしまい、これにより電子部品24の各電極と外部電気回路との間の正常な電気的接続が絶たれてしまうという問題点を有していた。なお、このような傾向は電子装置が例えば0.5ｍｍ以下の薄型になるほど顕著となる。
【０００５】
本発明は、上述の問題点に鑑み案出されたものであり、その目的は搭載する電子部品の各電極を所定の外部電気回路に長期間にわたり確実に接続させることができる薄型の電子装置を提供することにある。
【０００６】
【課題を解決するための手段】
本発明の電子装置は、上面に電子部品を搭載するための搭載部を、下面に電子部品を外部に電気的に接続するための複数の外部接続用メタライズパッドを有する厚みが0.05〜0.1ｍｍで一辺の長さが0.5〜50ｍｍの略四角平板状の第一セラミック層と、第一セラミック層の搭載部に搭載され、その主面に複数の電極を有する厚みが0.1〜0.2ｍｍの電子部品と、第一セラミック層と実質的に同じ外形寸法で第一セラミック層上に電子部品を取り囲むように積層された厚みが0.1〜0.2ｍｍで幅が0.2〜20ｍｍの枠状の第二セラミック層と、第一セラミック層または第二セラミック層の上面から第一セラミック層の下面にかけて導出し、電子部品の電極および外部接続用メタライズパッドに電気的に接続された複数のメタライズ配線導体と、第一セラミック層および第二セラミック層および電子部品上に、第一セラミック層および第二セラミック層と実質的に同じ外形寸法で電子部品を封止するように略平坦な上面を有して固着され、電子部品の上面からの厚みが0.1〜0.2ｍｍの封止樹脂層とから成ることを特徴とするものである。
【０００７】
本発明の電子装置によれば、厚みが0.05〜0.1ｍｍで一辺の長さが0.5〜50ｍｍの略四角平板状の第一セラミック層の搭載部に、厚みが0.1〜0.2ｍｍの電子部品を搭載するとともに、第一セラミック層の上に電子部品を取り囲むようにして第一セラミック層と実質的に同じ外形寸法の厚みが0.1〜0.2ｍｍで幅が0.2〜20ｍｍの枠状の第二セラミック層を積層し、これらの上に、第一セラミック層および第二セラミック層と実質的に同じ外形寸法の、電子部品の上面からの厚みが0.1〜0.2ｍｍで略平坦な上面を有する封止樹脂層を固着させたことから、全体の厚みが例えば0.5ｍｍ以下の薄型であるにもかかわらず、熱応力による反りが小さく、搭載する電子部品を外部電気回路に長期間にわたり確実に接続することができる。
【０００８】
さらに、本発明の電子装置によれば、封止樹脂層のヤング率を１〜８ＧＰａとするとともに封止樹脂層の第一セラミック層および第二セラミック層に対する密着強度を５ＭＰａ以上とすることにより、電子装置を外部電気回路基板に実装する際に第一セラミック層および第二セラミック層と封止樹脂層との熱膨張係数の差に起因して発生する応力を、封止樹脂層が適度に弾性変形することによって良好に吸収可能であるとともに、封止樹脂層が第一セラミック層および第二セラミック層に強固に密着して両者間に剥離が発生することを有効に防止することができる。
【０００９】
【発明の実施の形態】
次に、本発明を添付の図面を基にして詳細に説明する。図１は本発明の電子装置の実施の形態の一例を示す断面図であり、１は第一セラミック層、２は第二セラミック層、３は電子部品、４は封止樹脂層である。
【００１０】
第一セラミック層１は、酸化アルミニウム質焼結体や窒化アルミニウム質焼結体・ムライト質焼結体・炭化珪素質焼結体・窒化珪素質焼結体・ガラス−セラミックス等のセラミックス材料から成る厚みが0.05〜0.1ｍｍ程度、一辺の長さが0.5〜50ｍｍ程度の略四角形状の平板であり、その上面中央部に電子部品３を搭載するための搭載部１ａを有しており、この搭載部１ａには半導体素子や圧電振動子等の電子部品３が搭載されている。このような第一セラミック層１は、その厚みが0.05ｍｍ未満では、これに熱応力や衝撃等が印加された場合に第一セラミック層１に割れやクラックが発生しやすくなり、他方、その厚みが0.1ｍｍを超えると、半導体装置を例えば厚みが0.5ｍｍ以下の薄型とすることが困難となる。したがって、第一セラミック層１の厚みは、0.05〜0.1ｍｍの範囲に特定される。また、第一セラミック層１は、その一辺の長さが0.5ｍｍ未満では、その上面中央部に電子部品３を搭載するための十分な面積の搭載部１ａを確保することが困難となり、他方、その一辺の長さが50ｍｍを超えると、熱応力や外力等により第一セラミック層１に割れやクラックが発生しやすくなる。したがって、第一セラミック層１の一辺の長さは、0.5〜50ｍｍの範囲に特定される。
【００１１】
なお、第一セラミック層１は、例えば酸化アルミニウム質焼結体から成る場合であれば、酸化アルミニウムおよび酸化珪素・酸化マグネシウム・酸化カルシウム等の原料粉末に適当な有機バインダおよび溶剤・可塑剤・分散剤等を添加混合して泥漿状となすとともに、これを従来周知のドクタブレード法を採用してシート状となすことによりセラミックグリーンシートを得、しかる後、このセラミックグリーンシートに適当な打ち抜き加工を施し、これを還元雰囲気中、約1600℃の温度で焼成することによって製作される。
【００１２】
また、第一セラミック層１には、その上面から下面にかけて導出するタングステンやモリブデン・モリブデン−マンガン・銅・銀・銀−パラジウム等の金属粉末メタライズから成る複数のメタライズ配線導体５が配設されているとともに、その下面にはメタライズ配線導体５と同様の金属粉末メタライズから成り、少なくともその一部のものが１つあるいはそれ以上のメタライズ配線導体５に電気的に接続された略円形の多数個の外部接続用メタライズパッド６が略格子状の並びに配列形成されている。
【００１３】
そして、メタライズ配線導体５で第一セラミック層１の上面に露出した部位には電子部品３の各電極が金やアルミニウム等の金属から成るボンディングワイヤ７を介して電気的に接続されており、外部接続用メタライズパッド６は図示しない外部電気回路基板の接続用導体に半田等の導電性接合材を介して接合される。なお、外部接続用メタライズパッド６は、その全てがメタライズ配線導体５に電気的に接続されている必要はなく、例えば放熱性や外部電気回路基板への接合強度を高める目的で電気的に独立して設けられているものがあってもよい。
【００１４】
このようなメタライズ配線導体５や外部接続用メタライズパッド６は、例えばタングステンメタライズから成る場合であれば、第一セラミック層１用のセラミックグリーンシートに直径が0.03〜0.3ｍｍ程度の配線用貫通孔を予め穿孔しておくとともに、このセラミックグリーンシートの配線用貫通孔内および上下面に、タングステン粉末に適当な有機バインダ・溶剤等を添加混合して適当な粘度に調整したタングステンペーストを従来周知のスクリーン印刷法によりそれぞれ充填・印刷し、これを第一セラミック層１用のセラミックグリーンシートとともに焼成することによって所定の位置および形状に形成される。
【００１５】
なお、メタライズ配線導体５および外部接続用メタライズパッド６の露出表面にはメタライズ配線導体５および外部接続用メタライズパッド６の酸化腐食を防止するとともに、メタライズ配線導体５とボンディングワイヤ７との接続および外部接続用メタライズパッド６と導電性接合材との接合を容易かつ強固なものとするために、通常であれば１〜10μｍ程度の厚みのニッケルめっきと0.1〜３μｍ程度の厚みの金めっきとが順次被着されている。
【００１６】
さらに、第一セラミック層１の上面外周部には、搭載部１ａを取り囲むようにして第一セラミック層１と実質的に同じ外形寸法の厚みが0.1〜0.2ｍｍで幅が0.2〜20ｍｍの略四角枠状の第二セラミック層２が積層されている。第二セラミック層２は、好ましくは第一セラミック層１と同一材料から成り、第一セラミック層１と焼結一体化している。第二セラミック層２は、本発明の電子装置が後述する封止樹脂層４の熱収縮・熱膨張に伴う熱応力により大きく反るのを防止する補強部材として機能する。
【００１７】
そして、本発明の電子装置においては、外部電気回路基板に実装された場合に、第二セラミック層２が電子装置の反りを低減するように作用して、電子装置を外部電気回路基板に接合している導電性接合材に大きな応力が印加されるのが有効に防止される。その結果、搭載する電子部品３を外部電気回路に長期間にわたり確実に接続させることができる。
【００１８】
なお、第二セラミック層２は、その厚みが0.1ｍｍ未満では、電子装置が封止樹脂層４の熱収縮・熱膨張に伴って発生する熱応力により大きく反るのを有効に防止することが困難となり、他方、その厚みが0.2ｍｍを超えると本発明の電子装置を例えば厚みが0.5ｍｍ以下の薄型とすることが困難となる。したがって、第二セラミック層２の厚みは0.1〜0.2ｍｍの範囲に特定される。また、第二セラミック層２は、その各辺の幅が0.2ｍｍ未満であると、半導体装置が封止樹脂層４の熱収縮・熱膨張に伴って発生する熱応力により大きく反るのを有効に防止することが困難となり、他方、その幅が20ｍｍを超えると、第一セラミック層１の上面中央部に電子部品３を搭載するための十分な面積の搭載部１ａを確保することが困難となる。したがって、第二セラミック層２の各辺の幅は、0.2〜20ｍｍの範囲に特定される。
【００１９】
またさらに、第二セラミック層２は、その上面の高さが電子部品３の上面と略同じ高さであることが好ましい。第二セラミック層２の上面の高さが電子部品３の上面の高さと略同じであることにより、後述するように、第一セラミック層１および第二セラミック層２および電子部品３上に封止樹脂層４を固着させる際に、封止樹脂層４の上面が略平坦となり、この封止樹脂層４の上面に例えば製造者や製品名等を示す標識を正確かつ容易に形成することが可能となる。そして、第二セラミック層２の上面と電子部品３の上面との高さの差が0.03ｍｍを超えると、第一セラミック層１および第二セラミック層２および電子部品３上に封止樹脂層４を固着させる際に、封止樹脂層４の上面に大きな段差が形成されて、この封止樹脂層４の上面に製造者や製品名等を示す標識を正確かつ容易に形成することが困難となる傾向にある。したがって、第二セラミック層２の上面と電子部品３の上面との高さの差は0.03ｍｍ以下であることが好ましい。
【００２０】
さらにまた、第二セラミック層２の内周面と電子部品３の外周面との間隔が0.1ｍｍ未満であると、第一セラミック層１の搭載部１ａに電子部品３を搭載する際に、電子部品３が第二セラミック層２の内周面に支え易くその搭載が困難となる傾向にあり、他方、３ｍｍを超えると、第一セラミック層１および第二セラミック層２および電子部品３上に封止樹脂層４を固着させる際に、封止樹脂層４の上面に大きな段差が形成されやすく、そのためこの封止樹脂層４の上面に製造者や製品名等を示す標識を正確かつ容易に形成することが困難となる傾向にある。したがって、第二セラミック層２の内周面と電子部品３の外周面との間隔は0.1〜３ｍｍの範囲が好ましい。
【００２１】
なお、このような第二セラミック層２は、第一セラミック層１用のセラミックグリーンシートと同様の方法で第二セラミック層２用のセラミックグリーンシートを得るとともに、このセラミックグリーンシートに適当な打ち抜き加工を施し、しかる後、この第二セラミック層２用のセラミックグリーンシートを第一セラミック層１用のセラミックグリーンシート上に積層するとともにこれらを同時に焼成することにより第一セラミック層１の上面外周部に搭載部１ａを取り囲むようにして形成される。
【００２２】
また、第一セラミック層１の搭載部１ａに搭載された電子部品３は、例えばその厚みが0.1〜0.2ｍｍの半導体素子や圧電振動子等であり、エポキシ樹脂等の接着剤を介して搭載部１ａに固定されている。電子部品３は、その厚みが0.1ｍｍ未満では、これに熱応力等が印加された場合に電子部品３に割れやクラックが発生しやすくなり、他方、その厚みが0.2ｍｍを超えると、本発明の電子装置を例えば厚みが0.5ｍｍ以下の薄型とすることが困難となる。したがって、電子部品３の厚みは0.1〜0.2ｍｍの範囲に特定される。
【００２３】
さらに、第一セラミック層１および第二セラミック層２および電子部品３の上には、電子部品３およびボンディングワイヤ７を気密に封止する封止樹脂層４が、第一セラミック層１および第二セラミック層２と実質的に同じ外形寸法で電子部品３の上面からの厚みが0.1〜0.2ｍｍとなるようにして固着されている。この封止樹脂層４は、例えばエポキシ樹脂とシリコーン樹脂との混合物から成り、電子部品３およびボンディングワイヤ７を外部から保護する作用をなし、電子部品３の上面からの厚みが0.1ｍｍ未満では、電子部品３やボンディングワイヤ７を良好に保護することが困難となり、他方、電子部品３の上面からの厚みが0.2ｍｍを超えると、本発明の電子装置を例えば厚みが0.5ｍｍ以下の薄型とすることが困難となるとともに、封止樹脂層４による応力が大きなものとなって、本発明の電子装置を外部電気回路基板に実装した場合に、電子部品３を長期間にわたり確実に作動させることが困難となる。したがって、封止樹脂層４は電子部品３の上面からの厚みが0.1〜0.2ｍｍの範囲に特定される。
【００２４】
なお、封止樹脂層４は、例えばこれがエポキシ樹脂とシリコーン樹脂との混合物から成る場合であれば、未硬化のエポキシ樹脂と未硬化のシリコーン樹脂とを混合した液状樹脂を第一セラミック層１および第二セラミック層２および電子部品３上に所定の厚みに滴下するとともにこれを約150℃の温度で熱硬化させることにより第一セラミック層１および第二セラミック層２および電子部品３上に固着される。このエポキシ樹脂とシリコーン樹脂との混合樹脂によれば、エポキシ樹脂が封止樹脂層４に適当な硬さを付与するとともに封止樹脂層４と第一セラミック層１および第二セラミック層２および電子部品３とを強固に密着させる作用をなし、シリコーン樹脂が封止樹脂層４に適当な弾性を付与する作用をなす。このようなエポキシ樹脂とシリコーン樹脂との混合物から成る封止樹脂層４は、第一セラミック層１および第二セラミック層２および電子部品３と強固に密着するとともに適度な弾性を得ることができる。
【００２５】
なお、このような封止樹脂層４は、そのヤング率を１〜８ＧＰａの範囲としておくことが好ましい。封止樹脂層４のヤング率を１〜８ＧＰａの範囲としておくことによって、本発明の電子装置を外部電気回路基板に実装した際に封止樹脂層４と第一セラミック層１および第二セラミック層２および電子部品３との間に大きな熱応力が発生したとしても、その熱応力は、ヤング率が１〜８ＧＰａの封止樹脂層４が弾性変形することにより良好に吸収緩和され、電子装置を外部電気回路基板に接合する導電性接合材に大きく印加されることが有効に防止される。
【００２６】
封止樹脂層４は、そのヤング率が１ＧＰａ未満であると、封止樹脂層４が外力により容易に弾性変形しやすくなり、そのため、封止された電子部品３やボンディングワイヤ７を良好に保護することが困難となる傾向にあり、他方、そのヤング率が８ＧＰａを超えると、電子装置を外部電気回路基板に導電性接合材を介して実装した際に、封止樹脂層４と第一セラミック層１および第二セラミック層２および電子部品３との熱膨張係数の差に起因して発生する熱応力を封止樹脂層４が弾性変形することによって良好に吸収することができず、導電性接合材に大きな引っ張り応力が印加されやすくなる傾向にある。したがって、封止樹脂層４のヤング率は、１〜８ＧＰａの範囲であることが好ましい。同時に、本発明の電子装置においては、封止樹脂層４の第一セラミック層１および第二セラミック層２に対する密着強度を５ＭＰａ以上とすることが好ましい。
【００２７】
なお、本発明でいう封止樹脂層４の第一セラミック層１および第二セラミック層２に対する密着強度とは、第一セラミック層１および第二セラミック層２と同一材質の平板状の基板を２枚準備するとともに、この２枚の基板を間に厚さが0.1ｍｍで直径が３ｍｍの封止樹脂層４と同一組成の樹脂を介して上下に接合し、これらの基板を上下に引っ張って樹脂と基板とがはがれた時の力を樹脂の単位面積当たりの値に換算したものである。
【００２８】
封止樹脂層４は、第一セラミック層１および第二セラミック層２に対する密着強度を５ＭＰａ以上と大きくしておくことにより、電子部品３の作動や停止等に伴い、第一セラミック層１および第二セラミック層２と封止樹脂層４との熱膨張係数の差に起因してこれらの間に大きな熱応力が繰り返し印加されたとしても、第一セラミック層１および第二セラミック層２と封止樹脂層４とが剥離するようなことはなく、その結果、電子部品４を長期間にわたり気密に封止して安定に作動させることができる。なお、封止樹脂層４は、第一セラミック層１および第二セラミック層２に対する密着強度が５ＭＰａ未満であると、電子部品３の作動や停止等に伴い、第一セラミック層１および第二セラミック層２と封止樹脂層４との熱膨張係数の差に起因して両者間に発生する熱応力により第一セラミック層１および第二セラミック層２と封止樹脂層４とが剥離し易いものとなる傾向にある。したがって、封止樹脂層４の第一セラミック層１および第二セラミック層２に対する密着強度は５ＭＰａ以上であることが好ましい。
【００２９】
かくして、本発明の電子装置によれば、外部電気回路基板に実装した場合に、搭載する電子部品３を長期間にわたり、確実に作動させることが可能な電子装置を提供することができる。
【００３０】
なお、本発明は、上述の実施の形態例に限定されるものではなく、本発明の要旨を逸脱しない範囲であれば種々の変更は可能であり、例えば上述の実施の形態例では電子部品３の電極とメタライズ配線導体５とをボンディングワイヤ７を介して電気的に接続したが、電子部品３の電極とメタライズ配線導体５とは、図２に断面図で示すように、半田や金等のバンプ８を介して電気的に接続されてもよい。
【００３１】
また、上述の実施の形態例では、メタライズ配線導体５は、第一セラミック層１の上面から下面にかけて配設されていたが、メタライズ配線導体５は、図３に断面図で示すように、第二セラミック層２の上面から第一セラミック層１の下面にかけて配設されてもよい。
【００３２】
さらに、上述の実施の形態例では、１個の電子装置について説明したが、例えば図１に示す電子装置を製造する場合であれば、図４に断面図で示すように、多数個の電子装置が縦横の並びに一体的に配列形成された多数個取りの母基板11を製作するとともに、この母基板11を各電子装置毎に分割するこにより製造すればよい。
【００３３】
【発明の効果】
本発明の電子装置によれば、本発明の電子装置によれば、厚みが0.05〜0.1ｍｍで一辺の長さが0.5〜50ｍｍの略四角平板状の第一セラミック層の搭載部に、厚みが0.1〜0.2ｍｍの電子部品を搭載するとともに、第一セラミック層の上に電子部品を取り囲むようにして第一セラミック層と実質的に同じ外形寸法の厚みが0.1〜0.2ｍｍで幅が0.2〜20ｍｍの枠状の第二セラミック層を積層し、これらの上に、第一セラミック層および第二セラミック層と実質的に同じ外形寸法の、電子部品の上面からの厚みが0.1〜0.2ｍｍで略平坦な上面を有する封止樹脂層を固着させたことから、全体の厚みが例えば0.5ｍｍ以下の薄型であるにもかかわらず、熱応力による反りが小さく、搭載する電子部品を外部電気回路に長期間にわたり確実に接続することが可能な電子装置を提供することができる。
【００３４】
さらに、本発明の電子装置によれば、封止樹脂層のヤング率を１〜８ＧＰａとするとともに封止樹脂層の第一セラミック層および第二セラミック層に対する密着強度を５ＭＰａ以上とすることにより、電子装置を外部電気回路基板に実装する際に第一セラミック層および第二セラミック層と封止樹脂層との熱膨張係数の差に起因して発生する応力を、封止樹脂層が適度に弾性変形することによって良好に吸収可能であるとともに、封止樹脂層が第一セラミック層および第二セラミック層に強固に密着して両者間に剥離が発生することを有効に防止することができ、搭載する電子部品を長期間にわたり正常かつ安定に作動させることができる。
【図面の簡単な説明】
【図１】本発明の電子装置の実施の形態の一例を示す断面図である。
【図２】本発明の電子装置の実施の形態の他の例を示す断面図である。
【図３】本発明の電子装置の実施の形態のさらに他の例を示す断面図である。
【図４】図１に示す電子装置を製造する方法を説明するための断面図である。
【図５】従来の電子装置の断面図である。
【符号の説明】
１・・・・・・第一セラミック層
１ａ・・・・・搭載部
２・・・・・・第二セラミック層
３・・・・・・電子部品
４・・・・・・封止樹脂層
５・・・・・・メタライズ配線導体
６・・・・・・外部接続用メタライズパッド
【図１】
0004416269.tif 000002
【図２】
0004416269.tif 000003
【図３】
0004416269.tif 000004
【図４】
0004416269.tif 000005
【図５】
0004416269.tif 000006